(57)【要約】【課題】部品間での干渉を回避しながら、機器本体の薄型化を実現可能な電子機器を、提供する。【解決手段】本デジタルカメラ１０は、液晶表示パネルユニット１４０と、メイン基板１５２と、板金部材１６０と、カバー部材１７０とを、備えている。メイン基板１５２は、液晶表示パネルユニット１４０に対向して配置されている。メイン基板１５２には、液晶表示パネルユニット１４０に向けて突出する突出端子１５４が設けられている。板金部材１６０は、液晶表示パネルユニット１４０とメイン基板１５２との間において液晶表示パネルユニット１４０を支持する。板金部材１６０は、突出端子１５４との接触を回避するための回避部１６０ｂを有している。カバー部材１７０は、液晶表示パネルユニット１４０とメイン基板１５２との間において回避部１６０ｂに係合し、突出端子１５４を覆っている。【選択図】図６
2012252167.tif 000002
【特許請求の範囲】
【請求項１】
表示部と、
前記表示部に対向して配置され、前記表示部に向けて突出する突出部が設けられる基板と、
前記表示部と前記基板との間において前記表示部を支持し、前記突出部との接触を回避するための回避部を有する支持部材と、
前記表示部と前記基板との間において前記回避部に係合し、前記突出部を覆うカバー部材と、
を備える電子機器。
【請求項２】
前記カバー部材は、前記表示部を支持可能である、
請求項１に記載の電子機器。
【請求項３】
前記カバー部材は、前記支持部材の前記回避部の近傍を支持可能なように形成されている、
請求項１又は２に記載の電子機器。
【請求項４】
前記カバー部材は、前記基板に当接する当接部と、前記当接部に一体に形成され前記表示部に対向する対向部とを、有し、
前記対向部の面が、前記表示部に対向する前記支持部材の面と同一面、又は前記表示部に対向する前記支持部材の面より前記基板側に位置するように、前記カバー部材は前記支持部材の前記回避部に係合する、
請求項１から３のいずれかに記載の電子機器。
【請求項５】
前記基板は、前記カバー部材を位置決めするための孔部及び／又は凹部を、有しており、
前記カバー部材は、前記孔部及び／又は凹部に嵌合可能な凸部を、有している、
請求項１から４のいずれかに記載の電子機器。
【請求項６】
前記カバー部材は、前記突出部と前記表示部とを電気的に絶縁可能である、
請求項１から５のいずれかに記載の電子機器。
【請求項７】
電子部品の端子、
をさらに備え、
前記電子部品の端子を前記基板に装着することによって、前記電子部品の端子の一部が前記突出部として前記表示部に向けて突出する、
請求項１から６のいずれかに記載の電子機器。
【請求項８】
前記突出部は、複数の端子から構成されており、
前記カバー部材は、正の前記端子と負の前記端子とを空間的に分離する分離部を、有している、
請求項７に記載の電子機器。
【発明の詳細な説明】
【技術分野】
【０００１】
本発明は、電子機器に関する。
【背景技術】
【０００２】
特許文献１には、電子機器としてのデジタルカメラが開示されている。このデジタルカメラは、画像を表示する表示ユニットと、表示ユニットを支持するシャーシ部材と、シャーシ部材が支持できない表示ユニットの部分を支持する当接部が形成される外装部材とを、備えている。このように、特許文献１のデジタルカメラは、表示ユニットが大型化しても、機器本体が大型化することなく十分な強度を有するように、構成されている。
【先行技術文献】
【特許文献】
【０００３】
【特許文献１】特開２０１１−３３９８８号公報
【発明の概要】
【発明が解決しようとする課題】
【０００４】
従来の電子機器では、シャーシ部材の一面側において、表示ユニットがシャーシ部材によって支持されている。このような電子機器では、シャーシ部材の他面側に配置された部材の形状によっては、この部材とシャーシ部材との干渉を避けるために、この部材とシャーシ部材との間には、所定の間隔を設ける必要がある。例えば、シャーシ部材の他面側に基板等が配置される場合、基板上の突出部とシャーシ部材との間には、接触を回避するための空間を設ける必要がある。すなわち、この空間は機器本体にとって必須の空間になるため、この空間に対応する部分については、機器本体が大きくならざるを得なかった。
本発明は、上記のような問題に鑑みてなされたものであって、本発明の目的は、部品間での干渉を回避しながら、機器本体の薄型化を実現可能な電子機器を、提供することにある。
【課題を解決するための手段】
【０００５】
本発明の電子機器は、表示部と、基板と、支持部材と、カバー部材とを、備えている。表示部は、画像を表示する。基板は、表示部に対向して配置されている。基板には、表示部に向けて突出する突出部が、設けられている。支持部材は、表示部と基板との間において、表示部を支持している。支持部材は、突出部との接触を回避するための回避部を、有している。カバー部材は、突出部を覆い、且つ表示部と基板との間において回避部に係合する。
【発明の効果】
【０００６】
本発明では、カバー部材によって突出部を覆いながら、表示部と基板との間においてカバー部材を回避部に係合させているので、部品間での干渉を回避しながら、機器本体の薄型化を図ることができる。
【図面の簡単な説明】
【０００７】
【図１】本発明の実施の形態に係るデジタルカメラの正面側から見た外観斜視図。
【図２】本発明の実施の形態に係るデジタルカメラの背面側から見た外観斜視図。
【図３】本発明の実施の形態に係るデジタルカメラを背面下方から見た分解斜視図。
【図４】本発明の実施の形態に係るデジタルカメラにおけるバッテリ用の端子の装着位置を説明するための分解斜視図。
【図５】本発明の実施の形態に係るデジタルカメラにおけるカバー部材の装着位置を説明するための分解斜視図。
【図６】本発明の実施の形態に係るデジタルカメラにおける上部の部分断面図。
【図７】本発明の実施の形態に係るデジタルカメラのカバー部材を上方から見た斜視図。
【図８】本発明の実施の形態に係るデジタルカメラのカバー部材を下方から見た斜視図。
【発明を実施するための形態】
【０００８】
（実施の形態）
次に、図面を用いて、本発明の実施の形態について説明する。以下の図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
（１．外観）
以下、デジタルカメラ１０を例として、本発明の実施の形態を詳細に説明する。図１は、本発明の実施の形態に係るデジタルカメラ１０の正面側から見た斜視図である。図２は、デジタルカメラ１０の背面側から見た斜視図である。図３は、デジタルカメラ１０を背面下方から見た分解斜視図である。
【０００９】
なお、デジタルカメラ１０が通常姿勢すなわち横撮り姿勢である場合を基準として、被写体に向かう方向を「前方」、被写体から離れる方向を「後方」、鉛直上方を「上方」、鉛直下方を「下方」、被写体からデジタルカメラ１０を見て右側（図１の右側）を「右方」、被写体からデジタルカメラ１０を見て左側（図１の左側）を「左方」、と表現する。
デジタルカメラ１０の正面には、レンズ鏡筒１０１が設けられている。レンズ鏡筒１０１は、被写体光を、デジタルカメラ１０内の撮像素子に導くものである。レンズ鏡筒１０１は、フォーカスレンズ、ズームレンズ、絞り等、複数の光学部材を、含んでいる。レンズ鏡筒１０１は、デジタルカメラ１０の非使用時において筐体内に沈胴格納され、デジタルカメラ１０の使用時において延伸突出する。このように、レンズ鏡筒１０１を伸縮自在に筐体に装着することによって、デジタルカメラ１０の小型化が実現されている。
【００１０】
デジタルカメラ１０の正面には、フラッシュ１０２及びＡＦ補助光ランプ１０３が、配置されている。フラッシュ１０２は、暗所での撮影において閃光を発し、撮影光量の不足を補う。ＡＦ補助光ランプ１０３は、暗所でのオートフォーカス動作を円滑に行なうために、補助光を発する。
デジタルカメラ１０の正面左端には、ストラップを取り付けるためのストラップ取付用穴１０４が、設けられている。デジタルカメラ１０のように持ち歩くことが前提の小型の電子機器では、ユーザはデジタルカメラ１０を落下させてしまうおそれがある。ストラップ取付用穴１０４にストラップを取り付けることによって、デジタルカメラ１０の落下を防止することができる。
デジタルカメラ１０の背面には、液晶表示部１０５が設けられている。液晶表示部１０５には、撮影画像や各種操作画面等が表示される。液晶表示部１０５の外面には、タッチパネル１４０ｃが設けられている。タッチパネル１４０ｃは押圧操作を受け付ける。タッチパネル１４０ｃに表示された情報に基づいて、タッチパネル１４０ｃが操作されることによって、撮影や再生等に関するデジタルカメラ１０の動作モードが、切り替えられたり、デジタルカメラ１０の各種設定が変更されたりする。
【００１１】
なお、タッチパネル１４０ｃは押圧操作されるため、タッチパネル１４０ｃを含む液晶表示部１０５には、所定の強度が要求される。この要求に応えるために、ここでは、後述する板金部材１６０（支持部材）が、設けられている。後述するように、板金部材１６０は、液晶表示部１０５を支持する。
デジタルカメラ１０の上面には、スライド式の電源スイッチ１０７が設けられている。また、デジタルカメラ１０の上面には、シャッターボタン１０８とズームリング１０９が配されている。シャッターボタン１０８を押圧操作することによって、静止画や動画が撮影される。ズームリング１０９は、ズームリング１０９は、シャッターボタン１０８を中心として回転可能に、シャッターボタン１０８の周囲に配置されている。ズームリング１０９の回転操作によってズーム倍率が変更され、レンズ鏡筒１０１の延伸突出の程度が変更される。ズーム倍率が大きい場合は、レンズ鏡筒１０１の延伸突出の程度が大きくなり、ズーム倍率が小さい場合は、レンズ鏡筒１０１の延伸突出の程度が小さくなる。
【００１２】
デジタルカメラ１０の左側面には、端子蓋１１３が設けられている。例えば、端子蓋１１３は、紙面手前側に向けて開閉可能に、デジタルカメラ１０の左側面に設けられている。端子蓋１１３の内部には、デジタルカメラ１０を外部機器に接続するための複数の端子が、内蔵されている。
これらの端子には、ＵＳＢ（Ｕｎｉｖｅｒｓａｌ  Ｓｅｒｉａｌ  Ｂｕｓ）端子や、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子等が、含まれている。例えば、ＵＳＢ端子は、デジタルカメラ１０をパーソナルコンピュータに接続するためのものであり、このＵＳＢ端子を介して撮影画像がパーソナルコンピュータに転送される。ＨＤＭＩ端子は、デジタルカメラ１０をテレビ受像機に接続するためのものであり、このＨＤＭＩ端子を介して撮影画像がテレビ受像機に表示される。
【００１３】
デジタルカメラ１０の底面には、図３に示すように、バッテリ蓋１１１が設けられている。例えば、バッテリ蓋１１１は、紙面手前側に向けて開閉可能に、デジタルカメラ１０の底面に設けられている。バッテリ蓋１１１の内部には、バッテリとメモリカードが、収納される。デジタルカメラ１０の底面右端には、デジタルカメラ１０を三脚等に固定するための三脚ネジ穴１１２が、設けられている。
（２．ユニット構成）
図４は、デジタルカメラ１０におけるバッテリ用の端子１５３の装着位置を説明するための分解斜視図である。図５は、デジタルカメラ１０におけるカバー部材１７０の装着位置を説明するための分解斜視図である。図６は、デジタルカメラ１０における上部の部分断面図である。
【００１４】
デジタルカメラ１０は、図３−図６に示すように、主に、背面筐体１３０と、正面筐体１３１と、上部筐体１３２と、液晶表示パネルユニット１４０（表示部）と、本体ユニット１５０とを、備えている。背面筐体１３０、正面筐体１３１、及び上部筐体１３２それぞれは、本体ユニット１５０に装着されている。詳細には、背面筐体１３０、正面筐体１３１、及び上部筐体１３２それぞれは、本体ユニット１５０のフレーム本体１５１に装着されている。背面筐体１３０及び正面筐体１３１は、例えばアルミやステンレス等の金属によって、成型される。上部筐体１３２は、例えば樹脂等によって、成型される。なお、背面筐体１３０及び正面筐体１３１は、樹脂等によって成型されていてもよい。
液晶表示パネルユニット１４０は、画像を表示するユニットである。液晶表示パネルユニット１４０は、液晶表示部１０５に含まれる。液晶表示パネルユニット１４０は、図６に示すように、バックライト１４０ａと、液晶表示パネル１４０ｂと、タッチパネル１４０ｃとを、有している。液晶表示パネルユニット１４０では、バックライト１４０ａ、液晶表示パネル１４０ｂ、及びタッチパネル１４０ｃが、積層され固定されている。液晶表示パネルユニット１４０は、本体ユニット１５０に装着されている。具体的には、液晶表示パネルユニット１４０は、本体ユニット１５０の板金部材１６０に、装着されている。液晶表示パネルユニット１４０は、板金部材１６０によって位置決めされ支持されている。
【００１５】
液晶表示パネルユニット１４０は、各種のフレキシブルケーブルを有している。例えば、液晶表示パネルユニット１４０は、タッチパネル用のフレキシブルケーブル１４０ｄ、バックライト用のフレキシブルケーブル１４０ｅ、及び液晶表示パネル用のフレキシブルケーブル１４０ｆ等を有している。各フレキシブルケーブルは、後述するメイン基板１５２に実装されたコネクタに、接続される。
本体ユニット１５０には、電源回路、制御回路、及び信号処理回路等のような各種回路が、設けられる。本体ユニット１５０には、レンズ鏡筒１０１、バッテリ及びメモリカード（図示しない）等が、収納される。本体ユニット１５０には、上述した、背面筐体１３０、正面筐体１３１、上部筐体１３２、及び液晶表示パネルユニット１４０が、装着される。
（３．本体ユニットの詳細構成）
図７は、デジタルカメラ１０のカバー部材を上方から見た斜視図である。図８は、デジタルカメラ１０のカバー部材を下方から見た斜視図である。
【００１６】
本体ユニット１５０は、図３−図６に示すように、主に、フレーム本体１５１と、メイン基板１５２と、板金部材１６０と、カバー部材１７０とを、有している。
（３−１．フレーム本体）
フレーム本体１５１は、各種部材を装着するための構造体である。例えば、フレーム本体１５１には、背面筐体１３０、正面筐体１３１、及び上部筐体１３２等が、装着される。また、フレーム本体１５１には、メイン基板１５２及び板金部材１６０等が、装着される。また、フレーム本体１５１には、各種部材や各種部品等を収納するための収納部が、形成されている。例えば、フレーム本体１５１には、レンズ鏡筒１０１を収納するための収納部（図示しない）や、バッテリやメモリカード等を収納するための収納部Ｃ（図６を参照）等が、形成されている。
（３−２．メイン基板）
メイン基板１５２には、電源回路、制御回路、及び信号処理回路が配置されている。メイン基板１５２は、フレーム本体１５１に装着されている。メイン基板１５２は、液晶表示パネルユニット１４０に対向して配置されている。メイン基板１５２は、図５に示すように、カバー部材１７０を位置決めするための２つの凹部２５２ａと、カバー部材１７０の固定に用いられる孔部２５２ｂ（後述する第２孔部）と、後述する突出部１５４の形成時に用いられる３つの貫通孔２５２ｃとを、有している。
【００１７】
メイン基板１５２には、図６に示すように、突出部１５４が設けられる。メイン基板１５２において突出部１５４が設けられる面は、液晶表示パネルユニット１４０に対向するように配置される。突出部１５４は、図４に示すように、電子部品の端子１５３によって、形成される。図４に示した端子１５３は、バッテリに接触する端子（バッテリ用の端子）である。このバッテリ用の端子１５３は、図６に示すように、一端側がフレーム本体１５１に装着されており、他端側がメイン基板１５２例えば貫通孔２５２ｃに装着されている。
突出部１５４は、バッテリ用の端子１５３の先端部１５３ａによってメイン基板１５２上に形成される部分である。具体的には、図５に示すように、バッテリ用の端子１５３の他端側の先端部１５３ａは、メイン基板１５２に形成された貫通孔２５２ｃに挿通される。そして、図６に示すように、貫通孔２５２ｃから突出したバッテリ用の端子１５３の先端部１５３ａが、例えばハンダを用いて、メイン基板１５２に溶接される。このバッテリ用の端子１５３の先端部により形成される部分が、突出部１５４（以下、突出端子１５４と呼ぶ）となる。なお、メイン基板１５２に形成された３つの貫通孔２５２ｃそれぞれに対して、バッテリ用の端子１５３の他端側の先端部１５３ａが挿通される。これにより、メイン基板１５２には、３つの突出端子１５４が形成される。
【００１８】
上記のように形成された３つの突出端子１５４は、メイン基板１５２上において、一列に並べて配置される。図５では、左から、正極用の端子１５３、温度検出用の端子１５３、負極用の端子１５３の順に、並べて配置されている。そして、これら各端子によって形成される突出部が、３つの突出端子１５４（正極用の突出端子、温度検出用の突出端子、負極用の突出端子）を形成する。また、図５に示すように、正極用の突出端子１５４及び温度検出用の突出端子１５４は、所定の間隔ｄ１（第１間隔）を隔てて配置され、温度検出用の突出端子１５４及び負極用の突出端子１５４は、所定の間隔ｄ２（第２間隔）を隔てて配置される。ここでは、第２間隔ｄ２が第１間隔ｄ１より大きくなるように、３つの突出端子１５４それぞれが配置されている。
（３−３．板金部材）
板金部材１６０は、液晶表示パネルユニット１４０を支持するための部材である。また、板金部材１６０は、液晶表示パネルユニット１４０を位置決めするための部材でもある。板金部材１６０は、フレーム本体１５１に装着されている。具体的には、板金部材１６０は、図３及び図６に示すように、液晶表示パネルユニット１４０とメイン基板１５２との間に配置され、図示しないビスによってフレーム本体１５１に固定される。また、板金部材１６０には、液晶表示パネルユニット１４０が装着される。
【００１９】
板金部材１６０は、板金本体１６０ａと回避部１６０ｂとを、有している。板金本体１６０ａは、概ね矩形板状に形成されている。回避部１６０ｂは、突出端子１５４との接触を回避するための部分である。具体的には、回避部１６０ｂは、板金本体１６０ａにおいて矩形状に切り欠かれた部分である。この回避部１６０ｂには、突出端子１５４を覆うカバー部材１７０の少なくとも一部が、配置される。
（３−４．カバー部材）
カバー部材１７０は、図３及び図５−図８に示すように、突出端子１５４を覆う部材である。カバー部材１７０は、メイン基板１５２上に配置されている。例えば、カバー部材１７０は、図３に示すように、３つの突出端子１５４を覆った状態で、メイン基板１５２上に配置されている。より具体的には、カバー部材１７０は、メイン基板１５２上に配置され、フレーム本体１５１に固定されている。カバー部材１７０は、図６に示すように、液晶表示パネルユニット１４０とメイン基板１５２との間において、板金部材１６０の回避部１６０ｂに係合している。カバー部材１７０は、液晶表示パネルユニット１４０を支持可能である。カバー部材１７０は、回避部１６０ｂの近傍を支持可能なように形成されている。このような構成を有するカバー部材１７０は、絶縁体として機能する。例えば、カバー部材１７０は、樹脂製の絶縁体である。
【００２０】
具体的には、図７−図８に示すように、カバー部材１７０は、本体部１７１と、基板当接部１７２（当接部）と、端子覆部１７３と、分離部１７４と、対向部１７５と、板金支持部１７６と、嵌合部１７７（凸部）とを、備えている。本体部１７１は、概ね一方向に長い矩形板状に形成されている。基板当接部１７２は、メイン基板１５２に当接する部分である。基板当接部１７２は、本体部１７１の一方の面Ｆ２から外方に突出して、本体部１７１に一体に形成されている。この基板当接部１７２がメイン基板１５２に当接することによって、カバー部材１７０はメイン基板１５２上に配置される（図６を参照）。
基板当接部１７２は、基板装着部１７２ａを有している。基板装着部１７２ａは、メイン基板１５２に当接する部分であり、且つカバー部材１７０をフレーム本体１５１に固定するための部分である。基板装着部１７２ａは、第１孔部１７２ｂを有している。ここでは、図５に示すように、雄ネジ２７２が、第１孔部１７２ｂと、メイン基板１５２に設けられた第２孔部２５２ｂとに挿通される。そして、この雄ネジ２７２を、フレーム本体１５１に形成された雌ネジ孔３７２に、螺合することによって、カバー部材１７０がフレーム本体１５１に固定される。
【００２１】
端子覆部１７３は、突出端子１５４を覆う部分である。端子覆部１７３は、凹状に形成された部分である。図８では、端子覆部１７３は、本体部１７１の一方の面Ｆ２と基板当接部１７２とによって、形成されている。突出端子１５４は、端子覆部１７３に収納される。
分離部１７４は、正極用の突出端子１５４と負極用の突出端子１５４とを、空間的に分離する部分である。分離部１７４は、本体部１７１の一方の面Ｆ２から外方に突出して、本体部１７１に一体に形成されている。この分離部１７４によって、本体部１７１の第２面Ｆ２側には、正極用の突出端子１５４を収納するための第１空間Ｓ１と、負極用の突出端子１５４を収納するための第２空間Ｓ２とが、形成される。
より具体的には、分離部１７４を温度検出用の突出端子１５４と負極用の突出端子１５４との間に配置し、この分離部１７４をメイン基板１５２に当接させることによって、第１空間Ｓ１には正極用の突出端子１５４及び温度検出用の突出端子１５４が収納され、第２空間Ｓ２には負極用の突出端子１５４が収納される。このように、分離部１７４は、正極用の突出端子１５４及び温度検出用の突出端子１５４と、負極用の突出端子１５４とを、分離している。この分離部１７４によって、異物の混入等による、正極用の突出端子１５４と負極用の突出端子１５４との短絡が、防止されている。
【００２２】
対向部１７５は、液晶表示パネルユニット１４０に対向する部分である。対向部１７５は、本体部１７１の他方の面Ｆ１に一体に形成されている。例えば、対向部１７５は、本体部１７１の他方の面Ｆ１から外方に突出して形成されている。対向部１７５の頂部は、図７に示すように、平面状に形成されている。また、対向部１７５における頂部の面Ａ１が、液晶表示パネルユニット１４０に対向する板金部材１６０の面Ｂ１と同一面（図６を参照）、又は液晶表示パネルユニット１４０に対向する板金部材１６０の面Ｂ１よりメイン基板１５２側にわずかに離れて位置するように、対向部１７５は形成されている。また、対向部１７５は、図６に示すように、板金部材１６０の回避部１６０ｂに係合する。詳細には、対向部１７５は、頂部の面Ａ１が液晶表示パネルユニット１４０に対向するように、板金部材１６０の回避部１６０ｂに係合する。
【００２３】
板金支持部１７６は、板金部材１６０の回避部１６０ｂの近傍を支持する部分である。板金支持部１７６は、対向部１７５を除いた本体部１７１の他方の面Ｆ１である。図６及び図７に示すように、板金支持部１７６の面Ｆ１と対向部１７５における頂部の面Ａ１との間には、所定の段差が形成されている。例えば、この段差は、板金部材１６０の厚さと同じ、又は板金部材１６０の厚さよりわずかに小さくなっている。より具体的には、この段差は、板金部材１６０の回避部１６０ｂの厚さと同じ、又は板金部材１６０の回避部１６０ｂの厚さよりわずかに小さくなっている。図６では、この段差が、板金部材１６０の回避部１６０ｂの厚さと同じである場合の一例が示されている。
嵌合部１７７は、カバー部材１７０をメイン基板１５２に位置決めするためのものである。嵌合部１７７は、図８に示すように、基板当接部１７２に一体に形成されている。ここでは、例えば、２つの嵌合部１７７が、基板当接部１７２に一体に形成されている。各嵌合部１７７は、基板当接部１７２から外方に突出して形成されている。各嵌合部１７７を、メイン基板１５２に形成された各凹部２５２ａ（図５を参照）に嵌合することによって、カバー部材１７０がメイン基板１５２に位置決めされる。
（４．本体ユニット及び液晶表示パネルユニットに関する組み立て）
まず、上部筐体１３２がフレーム本体１５１に装着された状態において、３つのバッテリ用の端子１５３が、フレーム本体１５１に装着される（図４を参照）。この状態において、メイン基板１５２がフレーム本体１５１に装着される（図５を参照）。ここで、３つのバッテリ用の端子１５３の先端部１５３ａを溶接によりメイン基板１５２に固定することによって、３つの突出端子１５４（正極用の突出端子、温度検出用の突出端子、負極用の突出端子）が、メイン基板１５２に形成される。
【００２４】
次に、３つの突出端子１５４がメイン基板１５２に形成された状態において、カバー部材１７０の嵌合部１７７が、メイン基板１５２の凹部２５２ａに嵌合される（図５を参照）。同時に、第１空間Ｓ１に正極用の突出端子及び温度検出用の突出端子が収納され、第２空間Ｓ２に負極用の突出端子が収納されるように（図８を参照）、カバー部材１７０がメイン基板１５２上に配置される（図３を参照）。
続いて、上記のようにカバー部材１７０をメイン基板１５２上に配置し、且つメイン基板１５２をフレーム本体１５１に配置した状態において、雄ネジ２７２が、カバー部材１７０の第１孔部１７２ｂとメイン基板１５２に設けられた第２孔部２５２ｂとに挿通され、フレーム本体１５１の雌ネジ孔３７２に螺合される（図３及び図５を参照）。このようにして、カバー部材１７０がフレーム本体１５１に固定される。
【００２５】
続いて、板金部材１６０の回避部１６０ｂが、カバー部材１７０の対向部１７５に係合し、且つカバー部材１７０の板金支持部１７６に当接するように、板金部材１６０がフレーム本体１５１に装着される（図６を参照）。ここでは、板金部材１６０は、図示しないビスによって、フレーム本体１５１に固定される。これにより、対向部１７５の面Ａ１と板金部材１６０の面Ｂ１とが同一面に配置される。
最後に、液晶表示パネルユニット１４０が、板金部材１６０の一面とカバー部材１７０の対向部１７５とに対向するように、板金部材１６０に装着される（図３及び図６を参照）。そして、背面筐体１３０が、液晶表示パネルユニット１４０を覆うように、図示しないビスを用いて、フレーム本体１５１に装着される。
（５．特徴）
（Ａ）本デジタルカメラ１０は、主に、液晶表示パネルユニット１４０と、メイン基板１５２と、板金部材１６０と、カバー部材１７０とを、備えている。メイン基板１５２は、液晶表示パネルユニット１４０に対向して配置されている。メイン基板１５２には、液晶表示パネルユニット１４０に向けて突出する突出端子１５４が、設けられている。板金部材１６０は、液晶表示パネルユニット１４０とメイン基板１５２との間において、液晶表示パネルユニット１４０を支持する。板金部材１６０は、突出端子１５４との接触を回避するための回避部１６０ｂを、有している。カバー部材１７０は、液晶表示パネルユニット１４０とメイン基板１５２との間において、回避部１６０ｂに係合し、突出端子１５４を覆っている。
【００２６】
このように、本デジタルカメラ１０では、カバー部材１７０が、メイン基板１５２の突出端子１５４を覆っている。このため、メイン基板１５２に突出端子１５４が形成されたとしても、メイン基板１５２の突出端子１５４が、板金部材１６０や液晶表示パネルユニット１４０に干渉することがない。また、カバー部材は、板金部材１６０の回避部１６０ｂに係合するように、メイン基板１５２に配置されるので、デジタルカメラ１０の薄型化を図ることができる。上記をまとめると、本デジタルカメラ１０では、部品間での干渉を回避しながら、機器本体の薄型化を実現することができる。
（Ｂ）本デジタルカメラ１０では、カバー部材１７０が、液晶表示パネルユニット１４０を支持可能になっている。具体的には、カバー部材１７０の対向部１７５の面Ａ１が、液晶表示パネルユニット１４０に対向する板金部材１６０の面Ｂ１と同一面に位置するように、カバー部材１７０が板金部材１６０の回避部１６０ｂに係合している。
【００２７】
これにより、液晶表示パネルユニット１４０例えばタッチパネル１４０ｃが、指やスタイラスペン等のような指示手段によって、押されたとしても、液晶表示パネルユニット１４０に発生する押圧力を、板金部材１６０及びカバー部材１７０の対向部１７５によって、受けることができる。すなわち、本デジタルカメラ１０では、液晶表示パネルユニット１４０の剛性を低下させることなく、部品間での干渉を回避し、且つ機器本体の薄型化を実現することができる。
（Ｃ）本デジタルカメラ１０では、カバー部材１７０が、板金部材１６０の回避部１６０ｂの近傍を、支持可能になっている。具体的には、カバー部材１７０には板金支持部１７６が形成されており、この板金支持部１７６が、板金部材１６０の回避部１６０ｂに当接して、板金部材１６０の回避部１６０ｂの近傍を支持している。
【００２８】
このため、液晶表示パネルユニット１４０例えばタッチパネル１４０ｃが、板金部材１６０の回避部１６０ｂに対向する部分（切り欠かれた部分）において、指示手段によって押されたとしても、液晶表示パネルユニット１４０に発生する押圧力を、板金部材１６０及びカバー部材１７０の対向部１７５によって、確実に受けることができる。すなわち、本デジタルカメラ１０では、液晶表示パネルユニット１４０の剛性を低下させることなく、部品間での干渉を回避し、且つ機器本体の薄型化を実現することができる。
（Ｄ）本デジタルカメラ１０では、メイン基板１５２が凹部２５２ａを有しており、カバー部材１７０が嵌合部１７７を有している。これにより、カバー部材１７０の嵌合部１７７をメイン基板１５２の凹部２５２ａに嵌合することによって、カバー部材１７０をメイン基板１５２に容易に位置決めすることができる。
（Ｅ）本デジタルカメラ１０では、カバー部材１７０は、突出端子１５４と液晶表示パネルユニット１４０とを電気的に絶縁可能になっている。例えば、カバー部材１７０は、樹脂製の絶縁体であり、突出端子１５４と液晶表示パネルユニット１４０との間に配置されている。これにより、突出端子１５４と液晶表示パネルユニット１４０との電気的な接触を、カバー部材１７０によって回避することができる。また、突出端子１５４と板金部材１６０との電気的な接触をも、カバー部材１７０によって回避することができる。
（Ｆ）本デジタルカメラ１０では、バッテリ用の端子１５３をメイン基板１５２に装着することによって、バッテリ用の端子１５３の一部が、突出端子１５４として液晶表示パネルユニット１４０に向けて突出している。このため、この突出端子１５４が、液晶表示パネルユニット１４０や板金部材１６０等に接触した場合に、短絡するおそれがある。しかしながら、本デジタルカメラ１０では、カバー部材１７０によって、突出端子１５４と、液晶表示パネルユニット１４０や板金部材１６０との接触が規制されているので、上記のような短絡を確実に防止することができる。
（Ｇ）本デジタルカメラ１０では、カバー部材１７０が、正極用の突出端子１５４と負極用の突出端子１５４とを空間的に分離する分離部１７４を、有している。これにより、異物の混入等による、正極用の突出端子１５４と負極用の突出端子１５４との短絡を、確実に防止することができる。
（６．他の実施形態）
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組合せ可能である。
【００２９】
前記実施形態では、カバー部材１７０が、回避部１６０ｂの近傍を支持する構成を示したが、カバー部材１７０は、突出端子１５４を覆うことができれば、必ずしも回避部１６０ｂの近傍を支持する構成にする必要はない。
前記実施形態では、カバー部材１７０を位置決めするために、メイン基板１５２に凹部２５２ａが形成される場合の例を示したが、カバー部材１７０を位置決めする部分の形状は、前記実施形態に限定されず、どのようにしてもよい。例えば、凹部２５２ａに代えて、孔部をメイン基板１５２に形成することによって、この孔部によって、カバー部材１７０をメイン基板１５２に位置決めしてもよい。また、２つの凹部２５２ａのいずれか一方だけを、孔部に変更してもよい。
前記実施形態では、カバー部材１７０の対向部１７５の面Ａ１が、液晶表示パネルユニット１４０に対向する板金部材１６０の面Ｂ１と同一面に位置する場合の例を示したが、カバー部材１７０の対向部１７５の面Ａ１は、液晶表示パネルユニット１４０に対向する板金部材１６０の面Ｂ１よりメイン基板１５２側に位置していてもよい。
【００３０】
前記実施形態では、液晶表示パネル１４０ｂが用いられる場合の例を示したが、液晶表示パネル１４０ｂに代えて、有機ＥＬパネルを用いてもよい。この場合、有機ＥＬパネルは、自発光の表示パネルであるから、バックライト１４０ａは、不要である。また、液晶表示パネルであっても、透過型ではなく反射型の液晶表示パネルを採用する場合は、バックライト１４０ａは不要である。
【産業上の利用可能性】
【００３１】
本発明は、電子機器に広く適用できる。
【符号の説明】
【００３２】
１０  デジタルカメラ
１４０  液晶表示パネルユニット（表示部）
１５４  突出部、突出端子
１５２  メイン基板（基板）
１６０ｂ  回避部
１６０  板金部材（支持部材）
１７０  カバー部材
１７２  基板当接部（当接部）
１７３  端子覆部
１７４  分離部
１７５  対向部
１７６  板金支持部
１７７  嵌合部（凸部）
２５２ａ  凹部
Ａ１  対向部の頂部の面（対向部の面）
Ｂ１  板金部材の一面（表示部に対向する支持部材の面）
【図１】
2012252167.tif 000003
【図２】
2012252167.tif 000004
【図３】
2012252167.tif 000005
【図４】
2012252167.tif 000006
【図５】
2012252167.tif 000007
【図６】
2012252167.tif 000008
【図７】
2012252167.tif 000009
【図８】
2012252167.tif 000010